(57)【要約】【課題】カラスや猫等にごみを散乱されず、ごみ収集日以外はコンパクトに折り畳み可能で、さらに、ごみ箱の組み立て及び折り畳み操作がワンタッチ且つ容易に行うことが可能で、町内のごみ当番を担当する女性やお年寄りにとって取り扱いが容易で負担が少なく、また、次のごみ当番の担当者に使用方法の複雑な説明が不要なごみ収集箱を提供する。【解決手段】前面体１と後面体２と左右側面体３ａ、３ｂと上面体４とからごみ箱本体を形成し、後面体２の両側にごみ箱本体を起立可能にするための支柱５を立設すると共に、左右の各側面体３ａ、３ｂを折り畳み可能な中折れ状に構成し、さらに、前面体１に組み立て及び折り畳み操作をするための操作部６ａ、６ｂと、操作部６ａ、６ｂを掛け止めるための係止金具７と、を備えていることを特徴とする。【選択図】　　　図１
2004051364.tif 000002
【特許請求の範囲】
【請求項１】
前面体（１）と後面体（２）と左右側面体（３ａ、３ｂ）と上面体（４）とからごみ箱本体を形成し、後面体（２）の両側にごみ箱本体を起立可能にするための支柱（５）を立設すると共に、左右の各側面体（３ａ、３ｂ）を折り畳み可能な中折れ状に構成し、さらに、前面体（１）に組み立て及び折り畳み操作をするための操作部（６ａ、６ｂ）を備えていることを特徴とするごみ収集箱。
【請求項２】
前面体（１）には、操作部（６ａ、６ｂ）を掛け止めるための係止金具（７）を備えていることを特徴とする請求項１記載のごみ収集箱。
【請求項３】
前記操作部（６ａ、６ｂ）は、持ち手（６ａ）と、持ち手（６ａ）を支持し且つ前面体（１）の下部に備えられた取り付け金具（８）に上下方向に移動及び回動可能なように支持された操作棒（６ｂ）と、から構成されていることを特徴とする請求項２記載のごみ収集箱。
【請求項４】
前記操作棒（６ｂ）は、前後に彎曲した形状であることを特徴とする請求項３記載のごみ収集箱。
【請求項５】
前面体（１）、後面体（２）及び上面体（４）が枠体を備えた構成であることを特徴とする請求項１、２、３又は４記載のごみ収集箱。
【請求項６】
組み立て及び折り畳み操作が安定、且つスムーズに行えるように、前面体（１）を後面体（２）に対して平行に前後移動させることが可能な平行移動手段を備えていることを特徴とする請求項１、２、３、４又は５記載のごみ収集箱。
【発明の詳細な説明】
【０００１】
【発明の属する技術分野】
本発明は、家庭等から出たごみを収集するための折り畳み可能なごみ箱に関するものである。
【０００２】
【従来の技術】
家庭等で出たごみを道路の所定のごみ集積場所に放置すると、ごみ収集車がごみを収集する前に、強風などでごみが飛ばされたり、カラスや猫等によってごみが散乱され、悪臭を発生したり、町の美観を損ねてしまう問題があった。そこで、折り畳み可能なごみ箱が開発され、ごみ集積場所に設置されるようになり、前記記載のような問題を解決することが可能となった。さらには、ごみ収集日以外はごみ箱を折り畳んでおけるので、町の美観をさらに保つことが可能となった。しかし、折り畳み可能なごみ箱の組み立て及び折り畳み操作が複雑であったり、また、組み立て及び折り畳みの工程数が多いと、町内のごみ当番を担当するのことが多い女性やお年寄りにとっては大きな負担となり、また、ごみ当番の担当は毎回代わるため、次の人にごみ箱の組み立て及び折り畳み操作の方法を説明するのが非常に面倒であるとうい問題が出てくる。
【０００３】
【発明が解決しようとする課題】
そこで、本発明は、上記の問題を解決するためになされたものであり、折り畳み可能なごみ箱の組み立て及び折り畳み操作がワンタッチで容易に行うことが可能で、町内のごみ当番を担当する女性やお年寄りにとって取り扱いが容易で負担が少なく、また、次のごみ当番の担当者に使用方法の複雑な説明が不要なごみ収集箱を提供することを目的とする。
【０００４】
【課題を解決するための手段】
上記目的を達成するために、本発明のうち請求項１記載の発明は、前面体と後面体と左右側面体と上面体とからごみ箱本体を形成し、後面体の両側にごみ箱本体を起立可能にするための支柱を立設すると共に、左右の各側面体を折り畳み可能な中折れ状に構成し、さらに、前面体に組み立て及び折り畳み操作をするための操作部を備えていることを特徴とする。
【０００５】
左右の側面体の中折れする方向に関しては、外側、内側など特に限定しないが、ごみ箱を折り畳んだ時によりコンパクトになるように、内側に中折れすることが望ましい。また、ごみを出し入れする蓋体は、上面体の箇所にあることが望ましいが、必ずしもこれに限定されず前面体や後面体の箇所にあってもよい。
【０００６】
このように構成すると、前面体を後面体の方向に押すことで、左右の側面体が中折れ状態になると同時に上面体が前面体の前方に垂れ下がり、ごみ箱を容易、且つコンパクトに折り畳むことが可能となるうえ、さらに、前面体に操作部を備えているため、操作部を後面体の方向に押すだけでごみ箱を折り畳むことが可能となり、操作性が向上し、より一層容易に折り畳み操作を行うことができると共に、折り畳み操作を行う際に前面体を直接押す必要がなくなるため、衛生的にごみ箱の折り畳み操作を行うことができる。また、ごみ箱を使用する時の組み立て操作においては、折り畳み操作の逆となり、前面体を手前に引くことで、左右の側面体が張られると同時に上面体がごみ箱本体の上面に押し上げられ、容易にごみ箱を形成することが可能となり、さらに、折り畳み操作と同様に、前面体に操作部を備えることによって操作性が向上し、より容易、且つ衛生的にごみ箱の組み立て操作を行うことができる。
【０００７】
請求項２記載の発明のように、前面体に操作部を掛け止めるための係止金具を備えれば、ごみ箱の組み立て及び折り畳み操作の最後に操作部を係止金具に掛け止めることで、操作部を上面体へのストッパー代わりにすることが可能となり、組み立てたごみ箱が折り畳まろうとしたり、また、折り畳んだごみ箱が広がろうとしたりするのを防ぐことが可能となり、ごみ箱の組み立てた状態及び折り畳んだ状態を正確に保つことができる。また、操作部を掛け止めるための係止金具がごみ箱の組み立て及び折り畳み操作において同一となるため、操作性がより一層向上し、ワンタッチ、且つ容易にごみ箱の組み立て及び折り畳み操作を行うことができる。
ここで、係止金具は、前面体上部の中央付近に少なくとも１個備え、個数を問わないが、操作棒をより安定に係止金具に掛け止めるために、２個以上備えることが望ましい。
【０００８】
操作部に関しては、特に限定しないが、請求項３記載の発明のように、操作部を持ち手と、持ち手を支持し且つ前面体の下部に備えられた取り付け金具に上下方向に移動及び回動可能なように支持された操作棒と、から構成すると、持ち手を備えることで操作部の操作性が向上し、より容易、且つ衛生的にごみ箱の組み立て及び折り畳み操作を行うことができると共に、持ち手を前面体に備えられた係止金具に嵌め込むことで操作部を掛け止めることが可能となり、さらに、持ち手を上面体へのストッパー代わりにすることができる。また、持ち手を支持する操作棒が上下方向に移動及び回動可能であるため、持ち手の操作性が向上し、容易に持ち手を係止金具に嵌め込むことができる。
ここで、操作棒は、少なくとも１本備え、本数を問わないが、安定、且つ容易にごみ箱の組み立て及び折り畳み操作を行えるように２本備えることが望ましい。また、取り付け金具に関しては、特に限定しないが、操作棒を上下方向に移動及び回動可能に支持するために、楕円状の環具にすることが望ましい。
【０００９】
操作棒に関しては、特に限定しないが、請求項４記載の発明のように、操作棒を前後に彎曲した形状にすることで、持ち手を後面体の方向に押しごみ箱を折り畳む際に、持ち手を下方に大きく回動しなくても、前面体を垂直に近い状態で押すことが可能となり、また、持ち手を手前に引きごみ箱を組み立てる際も同様に、持ち手を下方に大きく回動しなくても、前面体を垂直に近い状態で引くことが可能となり、ごみ箱の組み立て及び折り畳み操作を行う際に腰をかがめる必要もなく、高い位置で、且つ小さな力で持ち手を操作することが可能であるため、より一層容易にごみ箱の組み立て及び折り畳み操作を行うことができる。
ここで、操作棒は、全体的に彎曲させてもよいが、ごみ箱を折り畳んだ際によりコンパクトに収まるように、操作棒の下部のみを彎曲させることが望ましい。
【００１０】
請求項５記載の発明のように、前面体、後面体及び上面体を枠体を備えた構成にすると、前面体の上方枠に係止金具を備えることが可能となり、また、ごみ箱の組み立て及び折り畳み操作において、枠体である前面体が後面体に対して前後移動するため、安定、且つ容易にごみ箱の組み立て及び折り畳み操作を行うことができる。また、ごみ箱を組み立てた時に、ごみ箱本体が前面体、後面体及び上面体の３面で固定されるため、正確に長方形の箱体を形成することができる。さらに、枠体にすることで、枠の中であればどの位置にいくつでもごみを出し入れするための扉体を設けることが可能となり、扉体を上下、左右回動式、観音開き式、スライド式等に構成することが可能であり、また、枠体である前面体、後面体、上面体のどの面にも扉体を備えることが可能であるため、ごみ箱の大きさに応じて扉体を備える面を変更することが可能となり、さまざまな状況に対応することができる。
【００１１】
請求項６記載の発明のように、組み立て及び折り畳み操作が安定、且つスムーズに行えるように、前面体を後面体に対して平行に前後移動させることが可能な平行移動手段を備えることで、操作性がより一層向上し、前面体に備えられた操作部を後面体の方向に押したり、手前に引いたりする操作が、より一層容易、且つスムーズに行うことができる。
【００１２】
【発明の実施の形態】
以下、本発明によるごみ収集箱の実施形態について、図面に基づいて説明する。図１は本発明によるごみ収集箱の外観を示した斜視図、図２はごみ収集箱の側面図、図３はごみ収集箱を折り畳んだ状態を示した正面図、図４はごみ収集箱を折り畳んだ状態を示した側面図、図５は平行移動手段であるガイド部材の一部を示した拡大斜視図、図６は操作部の主要な部分を示した拡大斜視図である。
ごみ収集箱本体は、前面体１と後面体２と左右側面体３ａ、３ｂと蓋体をなす上面体４から形成されており、該上面体４はごみの出し入れが容易にできるように、後面側がら前面側にかけて下向きに傾斜している。
【００１３】
本発明のごみ収集箱は、前記ごみ箱本体を起立可能にするために立設した左右２本の支柱５に後面体２の左右枠が固着してあると共に、左右側面体３ａ、３ｂの後方が蝶番９で連結支持されており、左右側面体３ａ、３ｂの前方は前面体１の左右枠１０ａ、１０ｂに蝶番１１で連結支持されており、支柱５の上方には蓋体をなす上面体４の左右枠１２ａ、１２ｂの上部がボルト１３で上面体４が上下に回動可能なように連結支持され、上面体４の下枠１２ｄが前面体１の上枠１０ｃの上に載置するように構成されている。支柱５の側面下部には、ごみ収集箱の設置場所に応じてごみ収集箱の高さを調節可能にし、また、ごみ収集箱を地面にアンカー等で固定可能にするための支柱支持部１４がボルト１５によって連結支持されている。左右側面体３ａ、３ｂは、中央で左右２枚の面体に分かれており、２枚の面体の中央をごみ箱本体が内側に中折れするように蝶番１６で連結支持してある。上面体４の枠体１２ａ、１２ｂ、１２ｃ、１２ｄ内部には左右２枚の扉体１７、１７と上下枠１２ｃ、１２ｄに直角に設けた一対のガイドレール１８，１８が設けてあり、左右２枚の扉体１７、１７は観音開き式となるよう各扉体１７、１７の片側が蝶番１９で前記各ガイドレール１８，１８に連結支持され、その連結支持されたそれぞれのガイドレール１８，１８には下面側に案内溝２０が設けてある。また、上面体４が後面側から前面側にかけて下向きに傾斜していることから、ごみ箱が折り畳まろうとして上面体４が下方に回動しようとするのを防ぐため、ガイドレール１８，１８の前面側の先端部分は、地面に対して平行になるように形成してある。また、左右２枚の扉体１７、１７の中央には隙間２１を形成すると共に、左右２枚の扉体１７、１７の開閉部の中央に扉体１７、１７を開閉し易いように持ち手２２を備えている。上面体４の左右枠１２ａ、１２ｂの上端には、上面体４が下方に回動する際の衝撃を小さくするために、引っ張りばねやクリップばね等（図示せず）が後面体２の左右枠の上部に連結するように取り付けてある。
【００１４】
前面体１には操作部６ａ、６ｂが備えてあり、前面体１の下枠１０ｄの中央から左右対称の位置に下枠に対してある角度を設けて固着された一対の楕円状の環具８に、彎曲した操作棒６ｂが上下方向に移動及び回動可能に支持されており（図６参照）、２本の操作棒６ｂの上端には持ち手６ａが備えてあり、持ち手６ａの一部を前面体１の中央枠１０ｅの上部に固着された係止金具７に嵌め込めるようになっている。操作棒６ｂに関しては、扉体の形状や備え位置によって、１本であったり２本であったりする。また、係止金具７はごみ収集箱を折り畳んだ時に、上面体４に設けられた２枚の扉体１７、１７の中央に形成された隙間部分２１から前方に飛び出るように形成されている。前面体１の下枠１０ｄには、断面が下向きコの字状の車輪取り付け部２３が２箇所設けてあり、軸２４の両側が車輪取り付け部２３の片側をそれぞれ貫通し車輪２５に固着されてある。前面体１の上端には、上面体４に設けた一対のガイドレール１８，１８の各案内溝２０、２０にそれぞれ嵌り込む位置に突子２６，２６を突設してある。
【００１５】
ごみ収集箱の組み立て及び折り畳み操作がよりスムーズになるように、ごみ収集箱は比較的軽い材料で形成することが望ましく、また、ごみ収集箱の設置場所が屋外であることを考慮し、防錆性も兼ね備えていることが望ましい。さらに、前面体１、後面体２、左右側面体３ａ、３ｂ及び上面体４に関しては、格子状に形成することが望ましい。
【００１６】
ごみ箱を折り畳む際には、操作棒６ｂの上端に固着した持ち手６ａを上方に持ち上げ、係止金具７から持ち手６ａの下部を解放し、操作棒６ｂを楕円状の環具８を軸に下方に少し回動させた後、持ち手６ａを押すことによって、前面体１が車輪２５とガイドレール１８，１８の案内溝２０、２０に沿って移動する突子２６，２６とによって平行に後面体側に押され、左右側面体３ａ、３ｂが内側に中折れすると同時に、上面体４が下方に回動する。前面体１が支柱５の横位置に来るまで押さえると、上面体４が前面体１の前方に地面に対して垂直に垂れ下がり、後面体２、側面体３ａ、３ｂ、前面体１、上面体４が支柱５の奥行き内に収まるように収納される。そして、操作棒６ｂを上方に回動させ、操作棒６ｂの上端に固着した持ち手６ａを下方に下げ、持ち手６ａの下部を上面体４の中央に形成された隙間部分２１から飛び出した前面体１に固着された係止金具７に嵌め込むことでごみ箱の折り畳み操作が完了する。また、持ち手６ａは、ごみ箱や扉体１７、１７が開こうとするのを押さえるためのストッパーの役割も兼ねている。
【００１７】
ごみ箱を組み立てる際には、持ち手６ａを係止金具７から解放し、持ち手６ａを手前に引くことによって、前面体１が車輪２５と上面体４に設けられたガイドレール１８，１８の案内溝２０、２０に沿って移動する突子２６，２６とによって平行に前方に引き出され、左右側面体３ａ、３ｂが張られると共に、上面体４が上方に回動する。前面体１を最大限まで引き出すと、上面体４の下枠１２ｄが前面体１の上枠１０ｃの上に載り、そこで、持ち手６ａの下部を係止金具７に嵌め込むことでごみ箱の組み立て操作が完了する。持ち手６ａは、ごみ箱が折り畳まろうとして上面体４が下方に回動しようとするのを防ぐストッパーの役割も兼ねている。
【００１８】
【発明の効果】
本発明のうち請求項１記載の発明は、ごみ収集箱本体を折り畳み可能に構成し、さらに、前面体に操作部を備えることによって、ごみ収集日以外はコンパクトに折り畳んでおくことが可能となり町の美観を損ねることがなく、また、ごみ収集箱の組み立て及び折り畳みを一連操作で容易、且つ衛生的に行うことが可能となり、ごみ当番を担当する女性やお年寄りにとって取り扱いが容易なごみ収集箱を提供することができる。
【００１９】
本発明のうち請求項２記載の発明は、前面体に操作部を掛け止めるための係止金具を備えることによって、前記記載の効果に加えて、操作部を係止金具に掛け止めることで、ごみ箱の組み立て及び折り畳み操作のワンタッチ化を図ることができると同時に、操作部を上面体へのストッパー代わりにすることが可能であるため、次のごみ当番の担当者に使用方法の説明が不要で、且つ、組み立てた状態及び折り畳んだ状態を正確に保つことのできるごみ収集箱を提供することができる。
【００２０】
本発明のうち請求項３記載の発明は、操作部を持ち手と、持ち手を支持し且つ前面体の下部に備えられた取り付け金具に上下方向に移動及び回動可能なように支持された操作棒と、から構成することによって、操作部の操作性が向上し、ごみ箱の組み立て及び折り畳み操作のより一層の容易化、衛生化の向上を図ることができる。
【００２１】
本発明のうち請求項４記載の発明は、操作棒を前後に彎曲した形状にすることによって、前記記載の効果に加え、持ち手の操作性が向上し、ごみ箱の組み立て及び折り畳み操作のより一層の容易化、ワンタッチ化の向上を図ることができる。
【００２２】
本発明のうち請求項５記載の発明は、前面体、後面体及び上面体を枠体を備えた構成にすることによって、前記記載の効果に加え、前面体、後面体及び上面体のどの位置にも扉体を設けることが可能となり、さまざまなごみ集積場所の状況に対応するごみ収集箱を提供することができる。
【００２３】
本発明のうち請求項６記載の発明は、組み立て及び折り畳み操作が安定、且つスムーズに行えるように、前面体を後面体に対して平行に前後移動させることが可能な平行移動手段を備えることで、前記記載の効果に加え、組み立て及び折り畳み操作の操作性をより一層向上させることができ、女性やお年寄りにとって負担が少なく、非常に取り扱いが容易なごみ収集箱を提供することができる。
【図面の簡単な説明】
【図１】本発明のごみ収集箱の外観を示した斜視図である。
【図２】本発明のごみ収集箱を示した側面図である。
【図３】本発明のごみ収集箱の折り畳んだ状態を示した正面図である。
【図４】本発明のごみ収集箱の折り畳んだ状態を示した側面図である。
【図５】平行移動手段であるガイド部材の一部を示した拡大斜視図である。
【図６】（ａ）（ｂ）操作部の主要な部分を示した拡大斜視図である。
【符号の説明】
１前面体
２後面体
３ａ　側面体
３ｂ　側面体
４上面体
５支柱
６ａ　操作部（持ち手）
６ｂ　操作部（操作棒）
７係止金具
８取り付け金具
【図１】
2004051364.tif 000003
【図２】
2004051364.tif 000004
【図３】
2004051364.tif 000005
【図４】
2004051364.tif 000006
【図５】
2004051364.tif 000007
【図６】
2004051364.tif 000008